(57)【特許請求の範囲】
【請求項１】
水を後方に排出する便器と、
前記便器と、前記便器の後方に位置する排水管と、を接続し、床上に位置して上方に開口する掃除口を有する排水継手と、
前記排水管及び前記排水継手を収納するケーシングと、
を備えたことを特徴とするトイレユニット。
【請求項２】
前記ケーシングの上面および前記ケーシングの前面の少なくとも一部に開口部が設けられ、
前記開口部の少なくとも一部は、前記掃除口よりも上方に設けられたことを特徴とする請求項１記載のトイレユニット。
【請求項３】
前記排水継手は、前記掃除口から上方へ向かって延出し前記便器の上面よりも上方まで延びた延出部を有することを特徴とする請求項１または２記載のトイレユニット。
【請求項４】
前記排水継手は、前記掃除口から上方へ向かって延出する延出部を有し、
前記延出部は、前記便器の後方から前記便器側に向かって下り傾斜していることを特徴とする請求項１〜３のいずれか１つに記載のトイレユニット。
【請求項５】
前記排水継手は、前記排水継手の内部に設けられ前記掃除口から前記便器側へ向かって延在するガイド部を有することを特徴とする請求項１〜４のいずれか１つに記載のトイレユニット。
【請求項６】
前記延出部の中心軸は、鉛直上方に対して後方に傾いていることを特徴とする請求項３または４記載のトイレユニット。
【発明の詳細な説明】
【技術分野】
【０００１】
本発明の態様は、一般的に、トイレユニットに関する。
【背景技術】
【０００２】
水洗大便器に設けられた排水路は、例えば屈曲した形状を有している。このため、排水路に水洗大便器に流してよい排泄物やトイレットペーパー以外の異物を流してしまったり、大量のトイレットペーパーを流してしまったりすると、その異物やトイレットペーパーが排水配管の途中に詰まることがある。これに対して、排水路に異物などが詰まった場合に、水洗大便器を壁や床から取り外すことなく異物などを取り除くために、側面に掃除口が設けられた水洗大便器がある（特許文献１）。特許文献１に記載された掃除口は、水洗大便器に設けられた排水路に連通している。このような掃除口を設けることによって、便器を壁や床から取り外すことなく、排水路内に詰まった異物などを除去することができる。
【０００３】
しかし、通常、水洗大便器の横にはトイレルームの側壁が設けられている。このため、水洗大便器の側面に設けられた掃除口を用いて異物などを除去する際には、水洗大便器とトイレルームの側壁との間の狭い空間において、作業が行われることとなる。このため、作業者が排水路内の異物などを除去するときの作業性が悪いという問題がある。
【先行技術文献】
【特許文献】
【０００４】
【特許文献１】特開２０１３−１８９８１７号公報
【発明の概要】
【発明が解決しようとする課題】
【０００５】
本発明は、かかる課題の認識に基づいてなされたものであり、高い作業性を実現することができるトイレユニットを提供することを目的とする。
【課題を解決するための手段】
【０００６】
第１の発明は、水を後方に排出する便器と、前記便器と前記便器の後方に位置する排水管とを接続し、床上に位置して上方に開口する掃除口を有する排水継手と、前記排水管及び前記排水継手を収納するケーシングと、を備えたことを特徴とするトイレユニットである。
【０００７】
このトイレユニットによれば、排水継手に設けられた掃除口が、上方に開口しているため、便器や排水継手から異物などを除去する際、排水継手の上方から異物などにアプローチすることができる。このため、作業性を向上させることができる。
【０００８】
第２の発明は、第１の発明において、前記ケーシングの上面および前記ケーシングの前面の少なくとも一部に開口部が設けられ、前記開口部の少なくとも一部は、前記掃除口よりも上方に設けられたことを特徴とするトイレユニットである。
【０００９】
このトイレユニットによれば、開口部が、ケーシングの上面およびケーシングの前面の少なくとも一部に設けられているため、便器や排水継手から異物などを除去する際、ケーシングの上方または正面から異物などにアプローチすることができる。このため、作業性を向上させることができる。また、排水継手の掃除口に対するいたずらを防止することができる。
【００１０】
第３の発明は、第１または２の発明において、前記排水継手は、前記掃除口から上方へ向かって延出し前記便器の上面よりも上方まで延びた延出部を有することを特徴とするトイレユニットである。
【００１１】
このトイレユニットによれば、延出部が、便器の上面よりも上方まで延びているため、便器内の異物などによって便器の上面の位置まで便器内に水が溜まったとしても、延出部からケーシング内に水が溢れ出ることを抑制することができる。
【００１２】
第４の発明は、第１〜３のいずれか１つの発明において、前記排水継手は、前記掃除口から上方へ向かって延出する延出部を有し、前記延出部は、前記便器の後方から前記便器側に向かって下り傾斜していることを特徴とするトイレユニットである。
【００１３】
このトイレユニットによれば、延出部が便器側に向かって下り傾斜しているため、便器内の異物などを除去するための器具を延出部から掃除口に向かって挿入すると、便器側に異物などを押し出すことができる。これにより、誤って異物などを下流側に流してしまうことを防止することができる。また、掃除口から取り出せないような大きな異物などであっても、便器のボウル側に押し戻すことができるため、詰まったもののサイズに係わらず、詰まったものを取り出せることになる。
【００１４】
第５の発明は、第１〜４のいずれか１つの発明において、前記排水継手は、前記排水継手の内部に設けられ前記掃除口から前記便器側へ向かって延在するガイド部を有することを特徴とするトイレユニットである。
【００１５】
このトイレユニットによれば、ガイド部が掃除口から便器側へ向かって延在しているため、便器内の異物などを除去するための器具を、掃除口からガイド部に沿って便器側へ挿入することができる。これにより、異物などが便器側に押し出されるため、誤って異物などを下流側に流してしまうことを防止することができる。
【００１６】
第６の発明は、第３または４の発明において、前記延出部の中心軸は、鉛直上方に対して後方に傾いていることを特徴とするトイレユニットである。
【００１７】
このトイレユニットによれば、延出部が後方に傾いているため、便器内の異物などを除去するための器具を延出部から掃除口に向かって挿入することで、異物などを便器側に押し出すことができる。これにより、誤って異物などを下流側に流してしまうことを防止することができる。
【発明の効果】
【００１８】
本発明の態様によれば、高い作業性を実現することができるトイレユニットが提供される。
【図面の簡単な説明】
【００１９】
【図１】本発明の実施の形態に係るトイレユニットを表す模式的斜視図である。
【図２】本発明の実施の形態に係るトイレユニットを表す模式的斜視図である。
【図３】本実施形態に係るトイレユニットを表す模式的断面図である。
【図４】本実施形態に係る排水継手を例示する模式的斜視図である。
【図５】本実施形態に係るトイレユニットの一部を表す模式図である。
【図６】本発明の他の実施の形態にかかるトイレユニットを表す模式的断面図である。
【図７】本発明の他の実施の形態にかかるトイレユニットを表す模式的断面図である。
【発明を実施するための形態】
【００２０】
以下、本発明の実施の形態について図面を参照しつつ説明する。なお、各図面中、同様の構成要素には同一の符号を付して詳細な説明は適宜省略する。  
図１および図２は、本発明の実施の形態に係るトイレユニットを表す模式的斜視図である。図１および図２は、本実施形態に係るトイレユニット１０を斜め上方から眺めた模式的斜視図である。図２では、説明の便宜上、便器、および、後述するケーシングの一部、を省略している。
【００２１】
本実施形態に係るトイレユニット１０は、洋式腰掛水洗大便器（以下説明の便宜上、単に「便器」と称する）２０と、排水継手３０（図２参照）と、を備える。さらに、本実施形態に係るトイレユニット１０は、ケーシング５０を備える。但し、本実施形態に係るトイレユニット１０は、必ずしもケーシング５０を備えていなくともよい。
【００２２】
排水継手３０は、掃除口４０（図３、図４参照）を有する。また、排水継手３０は、延出部４５（図３，図４参照）を有する。掃除口４０と延出部４５とについては後述する。まず、図１および図２を参照して、トイレユニット１０の概要を説明する。
【００２３】
なお、本願明細書においては、通常使用時に便器２０の便座２１に座った使用者からみて上方を「上方」とし、通常使用時に便座２１に座った使用者からみて下方を「下方」とする。また、通常使用時に便座２１に座った使用者からみて前方を「前方」とし、通常使用時に便座２１に座った使用者からみて後方を「後方」とする。あるいは、便器２０の方向を向いて便器２０の前に立った使用者からみて手前側を「前方」とし、便器２０の方向を向いて便器２０の前に立った使用者からみて奥側を「後方」とする。また、便器２０の方向を向いて便器２０の前に立った使用者からみて右側を「右側方」とし、便器２０の方向を向いて便器２０の前に立った使用者からみて左側を「左側方」とする。
【００２４】
ケーシング５０は、前板５１と上板５２とを有する。前板５１は、トイレルームの後方の壁３１０と便器２０との間に設けられている。上板５２は、前板５１の上方と壁３１０との間に設けられている。ケーシング５０は、壁３１０、床３２０、前板５１および上板５２によって区画された空間内において、排水継手３０の少なくとも一部や排水管６０等を収納する。
【００２５】
ケーシング５０は、点検口５３（開口部）を有する。点検口５３は、ケーシング５０の上面（例えば上板５２）および前面（例えば前板５１）の少なくとも一部に設けられる。なお、この例では、点検口５３は、前板５１に設けられている。点検口５３の少なくとも一部は、排水継手３０および排水管６０よりも高い位置に設けられる。点検口５３には、図示しない蓋が設けられる。通常使用時において、点検口５３は、この蓋によって塞がれており、ケーシング５０の内部は視認されない。例えば、ケーシング内部の配管や各種装置を点検する必要が生じた場合に、作業者は、蓋を外し、点検口５３からケーシング５０の内部を点検することができる。
【００２６】
図２に示したように、ケーシング５０の内部には、排水管６０、排水継手３０、支持体７０、タンク７１、洗浄管７２等が収納されている。排水管６０は、ケーシング５０の内部において、左右方向に延在している。排水管６０の上方には、左右方向に延在するその他の配管（第１の給水管７３、第２の給水管７４、通気管７５）が設けられている。例えば、第１の給水管７３は、上水を供給する。例えば、第２の給水管７４は、再生水を供給する。
【００２７】
支持体７０は、便器２０を支持する部材であり、２本の柱状部を有している。２本の柱状部の間において、排水継手３０が排水管６０から前方に延びている。排水継手３０は、便器２０と、便器の２０の後方に位置する排水管６０と、を接続する管状の部材である。
【００２８】
タンク７１および洗浄管７２は、排水継手３０の上方に設けられている。洗浄管７２の一端は、タンク７１と接続され、他端は、便器２０と接続されている。タンク７１は、水を貯留し、貯留された水は、洗浄管７２を介して便器２０のボウル面に導かれる。
【００２９】
例えば、排水継手３０の左右方向における中心位置は、便器２０の左右方向における中心位置と一致するように設けられている。また、例えば、洗浄管７２の左右方向における中心位置は、便器２０の左右方向における中心位置と一致するように設けられている。
【００３０】
図３は、本実施形態に係るトイレユニットを表す模式的断面図である。図３では、説明の便宜上、ケーシング５０内の一部を省略している。  
便器２０は、支持体７０によって、床３２０から浮いた状態で支持されている。便器２０は、水を後方に排出する。例えば、便器２０は、壁掛便器である。本願明細書において「壁掛便器」という範囲には、壁３１０に支持された便器だけではなく、支持体７０に支持された便器、およびケーシング５０の前板５１に支持された便器が含まれるものとする。なお、実施形態においては、便器２０は壁掛便器でなくてもよい。便器２０は、汚物を受けるボウル部２２と、ボウル部２２の下方に接続された排水管路２３と、を有する。排水管路２３は、上昇管部２４と、後側管部２５と、を有する。上昇管部２４は、排水管路２３のうち、ボウル部２２の下方から上方向に延びる部分である。後側管部２５は、排水管路２３のうち、上昇管部２４から後方へ延びる部分である。
【００３１】
排水継手３０の一端は、便器２０の後側管部２５と接続されており、排水継手３０の他端は、排水管６０に接続されている。排水継手３０によって、便器２０から排水管６０へ向かう下り傾斜が形成されている。本実施形態に係る排水継手３０には、掃除口４０および延出部４５が設けられている。掃除口４０および延出部４５は、ケーシング５０の点検口５３の少なくとも一部よりも低い位置に設けられている。
【００３２】
図４は、本実施形態に係る排水継手を例示する模式的斜視図である。  
排水継手３０は、可撓性の継手部３２を有する。継手部３２の材料には塩化ビニルなどの樹脂を用いることができ、継手部３２の形状を蛇腹状とすることができる。これにより、排水管６０と便器２０とを容易に接続することができる。排水継手３０の一端には、接続部３１が設けられており、この接続部３１によって排水継手３０は、便器２０の後側管部２５と接続される。掃除口４０および延出部４５は、継手部３２よりも上流側（便器２０側）に配置されている。
【００３３】
次に、図５を参照して、掃除口４０および延出部４５について説明する。  
図５は、本実施形態に係るトイレユニットの一部を表す模式図である。  
図５（ａ）は、排水継手３０、掃除口４０および延出部４５を、右斜め上方から眺めた模式的斜視図である。図５（ｂ）は、排水継手３０、掃除口４０および延出部４５を、上方から眺めた模式的斜視図である。図５（ａ）および図５（ｂ）においては、説明の便宜上、便器２０などのトイレユニット１０の一部を省略している。
【００３４】
図５（ｃ）は、排水継手３０、掃除口４０および延出部４５を前方から眺めた模式的平面図である。図５（ｄ）は、図５（ｃ）のＡ−Ａ線における模式的断面図である。すなわち、図５（ｄ）は、延出部４５の中心軸Ｃ１を通り前後方向に対して平行な平面Ｐ１における断面を表す。なお、図５（ｃ）および図５（ｄ）では、排水継手３０のうちの接続部３１、掃除口４０および延出部４５のみを示している。
【００３５】
掃除口４０は、上方に向かって開口する開口部である。そして、延出部４５は、掃除口４０から上方へ向かって延出する管状の部分である。なお、ここで「上方」とは、通常使用時に便器２０の便座２１に座った使用者からみた鉛直上方だけでなく、斜め上方も含む。例えば、管状の延出部４５の中心軸Ｃ１は、掃除口４０の中心を通るように設けられている。
【００３６】
既に述べたとおり、排水継手３０の上方には、洗浄管７２が設けられている。このため、掃除口４０および延出部４５は、洗浄管７２を避けるように設けられる。すなわち、図５（ｃ）に示したように、前方からみたときに、掃除口４０が開口する方向と、延出部４５の中心軸Ｃ１が延在する方向と、は、鉛直方向から傾いている。例えば、鉛直上方向と中心軸Ｃ１との間の角度は、前方から見たときに約２５°程度である。
【００３７】
さらに、掃除口４０が開口する方向と、延出部４５の中心軸Ｃ１が延在する方向と、は、側方から見たときに鉛直上方向に対して後方に傾いている。例えば、図５（ｄ）に示したように、平面Ｐ１に投影したときに、鉛直上方向と中心軸Ｃ１との間の角度は、３４°程度である。このように、延出部４５は、便器２０の後方から便器２０側に向かって下り傾斜した傾斜面を形成している。延出部４５の上端の形状および掃除口４０の形状は、例えば円形である。また、延出部４５の上端には、図示しない蓋が設けられる。
【００３８】
便器２０の排水管路２３は、屈曲した形状を有しており、その径は比較的小さい。このため、便器２０の排水管路２３に異物などが詰まる場合がある。本実施形態に係るトイレユニット１０における異物などの取除作業では、まずケーシング５０の点検口５３の蓋を開ける。次に、延出部４５の上端に設けられた蓋を開け、上方から延出部４５及び掃除口４０に掃除器具を挿入する。掃除器具としては、例えば、弾力性を有するワイヤなどからなる部材を用いることができる。掃除器具の先端は、鉤状、螺旋状またはブラシ状等となっている。このような掃除器具を用いて異物などを便器２０側へ押し出すことで、便器２０の詰まりを解消し、異物などを取り除くことができる。
【００３９】
例えば、便器の側面に掃除口を設けた場合には、トイレルームの側壁と便器との間の狭い空間において、掃除口の蓋を開け、掃除器具を挿入する等して異物などを取り除くこととなる。また、このような掃除口の蓋は、便器の側面に露出しているため、いたずら防止等の観点から簡単に取り外せないようになっている。例えば、掃除口の蓋を開くには、特殊な工具を用いて固定金具を取り外す必要がある。しかしながら、このような狭い空間では、掃除口を正面から見ることが難しく、掃除口を開けて、掃除器具を挿入することが難しいことがある。このため、作業性が低下する。
【００４０】
これに対して、実施形態に係るトイレユニット１０では、排水継手３０に掃除口４０が設けられており、掃除口４０は、上方に向かって開口している。このため、作業者は、便器２０や排水継手３０から異物などを除去する際、排水継手３０の上方から異物などにアプローチすることができる。これにより、作業性を向上させることができる。さらに、掃除口４０を便器２０自体に設けないため、便器２０をコンパクトにすることができる。
【００４１】
また、実施形態に係るトイレユニット１０では、掃除口４０及び延出部４５は、ケーシング５０の内部に収納されている。そして、ケーシング５０の点検口５３は、ケーシング５０の上面および前面の少なくともいずれかに設けられている。このため、便器２０や排水継手３０から異物などを除去する際、ケーシング５０の上方または正面から異物などにアプローチすることができる。これにより、作業性を向上させることができる。
【００４２】
また、掃除口４０及び延出部４５は、ケーシング５０の内部に収納されているため、外部から視認されない。これにより、掃除口４０及び延出部４５に対するいたずらを防ぐことができる。また、点検口５３の蓋は、通常ケーシング５０に固定されているため、ケーシング５０内部に設けられた延出部４５には、比較的簡易な蓋を用いることができる。延出部４５の蓋の固定には、特殊な金具などを用いなくてもよい。
【００４３】
便器の側面に掃除口を設けた場合には、狭い空間における作業となるため、掃除器具を意図した方向に向けて挿入することが難しい。このため、誤って異物などを下流側（排水管側）に流してしまうおそれがある。これに対して、実施形態においては、延出部４５は、便器２０側に向かって下り傾斜している。このため、掃除器具を延出部４５から掃除口４０に向かって挿入することで、掃除器具を便器２０側に向けて挿入することができる。これにより、異物などを便器２０側へ押し出すことができる。従って、誤って異物などを下流側に流してしまうことを防止することができる。また、掃除口４０から取り出せないような大きな異物などであっても、便器のボウル部２２側に押し戻すことができるため、詰まったもののサイズに係わらず、詰まったものを取り出せることになる。
【００４４】
便器に異物などが詰まった際には、異物などによって排水管路の水の流れが阻害される。このため、ボウル部にまで水が溜まることがある。便器の側面や前面に掃除口を設けた場合には、掃除口は、ボウル部よりも下方に位置している。また、掃除口の開口方向は、例えば水平方向である。このため、ボウル部にまで水が溜まった際に、便器に設けられた掃除口を開けると、溜まっていた水が掃除口から流れ出てしまう。このため、作業者は、異物などを取り除く際には、まず、溜まった水を除去してから掃除口を開ける必要があった。これに対して、実施形態においては、掃除口４０は、上方に向けて開口されている。さらに延出部４５は、上方に向かって延びている。このため、ボウル部にまで水が溜まっても、延出部４５の蓋を開けたときに溜まった水が流れ出ることを抑制できる。
【００４５】
図３に表した二点鎖線の延出部４５のように、延出部４５は、便器２０の上面２６（ボウル部２２の上端）よりも上方まで延びていることが望ましい。これにより、便器２０内の異物などによってボウル部２２の上端の位置まで便器２０内に水が溜まったとしても、延出部４５からケーシング５０内に水が溢れることを抑制できる。
【００４６】
次に、本発明の他の実施の形態について、図面を参照しつつ説明する。  
図６は、本発明の他の実施の形態にかかるトイレユニットを表す模式的断面図である。  図６に表したトイレユニット１１において、排水継手３０ａは、排水継手３０と比べて、ガイド部４３をさらに有する。これ以外については、排水継手３０ａの構造は、排水継手３０の構造と同様である。ガイド部４３は、排水継手３０ａの内部に設けられ、掃除口４０から便器２０側へ延在する。ガイド部４３は、例えば、半円筒状や板状である。
【００４７】
ガイド部４３が掃除口４０から便器２０側へ向かって延在しているため、便器内の異物などを取り除く際に、ガイド部４３に沿った便器２０に向かう方向に、掃除器具を挿入することができる。これにより、異物などが便器側に押し出されるため、誤って異物などを下流側に流してしまうことを防止することができる。
【００４８】
図７は、本発明の他の実施の形態にかかるトイレユニットを表す模式的断面図である。  図７に表したにおいて、排水継手３０ｂは、排水継手３０と比べて、延出部４５の形状において異なる。これ以外については、排水継手３０ｂの構造は、排水継手３０の構造と同様である。
【００４９】
排水継手３０ｂにおいて、延出部４５は、管状であり上部４６と下部４７とを有する。上部４６は、鉛直上方向に向かって延びている。すなわち、上部４６の上端は、鉛直上方向に向かって開口する開口部であり、上部４６の中心軸は、鉛直上方向と略平行である。下部４７は、上部４６と掃除口４０とを接続する部分である。下部４７は、掃除口４０から後斜め上方に向かって延びている。下部４７は、上部４６から便器２０へ向かう下り傾斜面を有する。
【００５０】
排水継手３０ｂにおいては、上部４６が鉛直上方向に延びているため、作業者は、排水継手３０ｂの上方から異物などにアプローチしやすい。これにより、作業性を向上させることができる。また、下部４７が便器２０へ向かう下り傾斜面を有するため、掃除器具を便器２０側に向けて挿入しやすい。これにより、便器２０側に異物などを押し出すことができる。誤って異物などを下流に流してしまうことを防止できる。
【００５１】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、便器２０、排水継手３０、掃除口４０および延出部４５などが備える各要素の形状、寸法、材質、配置などや便器２０、排水継手３０、掃除口４０および延出部４５の設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００５２】
１０〜１２ トイレユニット、  ２０ 便器、  ２１ 便座、  ２２ ボウル部、  ２３ 排水管路、  ２４ 上昇管部、  ２５ 後側管部、  ２６ 上面、  ３０、３０ａ、３０ｂ 排水継手、  ３１ 接続部、  ３２ 継手部、  ４０ 掃除口、  ４３ ガイド部、  ４５ 延出部、  ４６ 上部、  ４７ 下部、  ５０ ケーシング、  ５１ 前板、  ５２ 上板、  ５３ 点検口、  ６０ 排水管、  ７０ 支持体、  ７１ タンク、  ７２ 洗浄管、  ７３ 第１の給水管、  ７４ 第２の給水管、  ７５ 通気管、  ３１０ 壁、  ３２０ 床、  Ｃ１ 中心軸、  Ｐ１ 平面
【要約】      （修正有）【課題】高い作業性を実現することができるトイレユニットを提供する。【解決手段】水を後方に排出する便器２０と、便器２０と便器２０の後方に位置する排水管６０とを接続し、上方に開口する掃除口４０を有する排水継手３０と、を備える。掃除口４０は上方に開口しているため、便器２０や排水継手３０から異物等を除去する際、上方からアプローチでき、作業性が向上する。さらに排水管６０および排水継手３０を収容するケーシング５０を備え、ケーシング５０は点検口５３を有する。点検口５３は掃除口４０よりも上方に設けられているため、便器２０や排水継手３０の異物除去をケーシング５０の上方または正面からアプローチでき、作業性がさらに向上する。【選択図】図３【図１】
0005885008.tif 000002
【図２】
0005885008.tif 000003
【図３】
0005885008.tif 000004
【図４】
0005885008.tif 000005
【図５】
0005885008.tif 000006
【図６】
0005885008.tif 000007
【図７】
0005885008.tif 000008